Podtech/llm-jp-corpus-v4-ja_patent huggingface dataset:
(57)【要約】【課題】防犯カメラに対するイタズラに対してもより強く、またかご室に乗り込む乗客の顔を判別するのにより良好な映像を得ることができるエレベータ用防犯カメラシステムを提供する。【解決手段】エレベータのかご室１の出入口１ｂに対向したかごの背面壁１ａ側に固定された金属製鏡２の裏側に防犯カメラ３を固定し、上記金属製鏡２に形成された撮影穴２から上記出入口１ｂから乗り込む乗客を撮影することを特徴とするエレベータ用防犯カメラシステムとする。【選択図】図１
2005239313.tif 000002
【特許請求の範囲】
【請求項１】
エレベータのかご室の出入口に対向したかごの背面壁側に固定された金属製鏡の裏側に防犯カメラを固定し、上記金属製鏡に形成された撮影穴から上記出入口から乗り込む乗客を撮影することを特徴とするエレベータ用防犯カメラシステム。
【請求項２】
撮影角度および倍率の少なくとも一方が異なる複数の上記防犯カメラを上記金属製鏡の裏側に固定し、それぞれのために形成された上記撮影穴から上記出入口から乗り込む乗客を撮影することを特徴とする請求項１に記載のエレベータ用防犯カメラシステム。
【発明の詳細な説明】
【技術分野】
【０００１】
この発明は、エレベータかご室内の映像をモニタすることにより、かご室内でのイタズラや犯罪の防止や抑止、あるいはこれらのイタズラや犯罪の立証に役立つエレベータ用防犯カメラシステムに関する。
【背景技術】
【０００２】
従来例えば、エレベータのかご室の奥の角に、前面にマジックミラーを配した防犯カメラを設けたエレベータ用防犯カメラシステムがある(例えば特許文献１参照)。
【０００３】
【特許文献１】実開平４−１３５５６７号公報
【発明の開示】
【発明が解決しようとする課題】
【０００４】
このようなエレベータ用防犯カメラシステムの構成では、マジックミラーを破ってしまえば防犯カメラを容易に壊すことも可能であり、防犯カメラに対するイタズラに対して無防備であり、また防犯カメラの取り付け位置もエレベータのかご室の奥側の角では、かご室に乗り込む乗客の顔を撮影するには良好な撮影位置とはいえない。
【０００５】
この発明は、防犯カメラに対するイタズラに対してもより強く、またかご室に乗り込む乗客の顔を判別するのにより良好な映像を得ることができるエレベータ用防犯カメラシステムを提供することを目的とする。
【課題を解決するための手段】
【０００６】
上記の目的に鑑みこの発明は、エレベータのかご室の出入口に対向したかごの背面壁側に固定された金属製鏡の裏側に防犯カメラを固定し、上記金属製鏡に形成された撮影穴から上記出入口から乗り込む乗客を撮影することを特徴とするエレベータ用防犯カメラシステムにある。
【発明の効果】
【０００７】
この発明のエレベータ用防犯カメラシステムは、イタズラ等による破壊に対してより強度が強く、また乗客の顔を判別するのにより良好な映像が得られる。
【発明を実施するための最良の形態】
【０００８】
実施の形態１．
図１はこの発明の一実施の形態によるエレベータ用防犯カメラシステムの構成を示す図であり、図２は図１のかごの背面壁の部分の側面図である。エレベータのかご室１の出入口１ｂに対向したかごの背面壁１ａ側には、金属製鏡である例えばステンレス製鏡２が固定部材５により固定されている。固定部材５は背面壁１ａにステンレス製鏡２を間に防犯カメラ３を格納可能な程度に間隔をあけて固定するものであればどのような形状のものでもよく、例えば面積がステンレス製鏡２とほぼ同じで厚みが防犯カメラ３と同程度の板状のもので防犯カメラ３を収納固定する収納穴が形成されているもの、あるいは防犯カメラ３を固定する部分を備えた枠形状のものであってもよい。
【０００９】
ステンレス製鏡２には撮影用の撮影穴２ａが形成され、防犯カメラ３はこれにはめ込まれる位置に固定される。撮影穴２ａには同寸法のガラスカバーである例えば凸面ガラス４が装着されている。防犯カメラ３は、出入口１ｂからかご室１に乗り込んでくる乗客の顔を判別するのにより良好なほぼ正面からの映像が得られる位置に配置され、これに従ってステンレス製鏡２の配置位置も決定する。
【００１０】
以上のように構成することにより、エレベータの乗客の顔をより鮮明に記録でき、防犯効果の向上が期待できる。また、金属製鏡である例えばステンレス製鏡２は非常に外力に対する強度が強く丈夫であり、かつ乗客が防犯カメラの存在に気づき難く、イタズラによる破損が減少し、より信頼性の高いものとなる。
【００１１】
実施の形態２．
図３はこの発明の別の実施の形態によるエレベータ用防犯カメラシステムの構成を示す図である。上記実施の形態と同一もしくは相当部分は同一部分で示し説明を省略する。この実施の形態では、撮影角度、倍率等が異なる複数の防犯カメラ３ａ，３ｂ(図３は２つの防犯カメラの場合を示す)をそれぞれ上記実施の形態と同様な構造で背面壁１ａとステンレス製鏡２との間に設けた。
【００１２】
以上のように構成することにより、エレベータの乗客の姿、特に顔を、異なる角度、倍率で鮮明に記録することが可能である。また防犯カメラの故障時にも他の防犯カメラでカバーが可能であることからより信頼性が向上し、イタズラや犯罪の容疑者の摘発に大きな効果が期待でき、ひいてはこれらのイタズラや犯罪の抑止効果も向上する。
【図面の簡単な説明】
【００１３】
【図１】この発明の一実施の形態によるエレベータ用防犯カメラシステムの構成を示す図である。
【図２】図１のかごの背面壁の部分の側面図である。
【図３】この発明の別の実施の形態によるエレベータ用防犯カメラシステムの構成を示す図である。
【符号の説明】
【００１４】
１  かご室、１ａ  背面壁、１ｂ  出入口、２  ステンレス製鏡(金属製鏡)、２ａ  撮影穴  ３，３ａ，３ｂ  防犯カメラ、４  凸面ガラス(ガラスカバー)、５  固定部材。
【図１】
2005239313.tif 000003
【図２】
2005239313.tif 000004
【図３】
2005239313.tif 000005
(57)【要約】      （修正有）【課題】ひとつの襟の形状保持具で、多種多様なシャツ等の襟の形状、また、生地の柔軟性に合うようにする。【解決手段】台襟に折返し襟が取り付けられたシャツの折返し襟と台襟の間に挿し込んで使用するシート状の襟の形状保持具１であって、シート本体２を台襟と折返し襟の間で輪状に組み立てた時、シャツ等の両肩の部分にあたるシート本体２の位置に、折り曲げ可能なスリット部２ｄを形成する。【選択図】図１
2005239281.tif 000002
【特許請求の範囲】
【請求項１】
台襟に折返し襟が取り付けられたシャツの該折返し襟と台襟の間に挿し込んで使用するシート状の襟の形状保持具であって、シート本体を台襟と折返し襟の間で輪状に組み立てた時、シャツ等の両肩の部分にあたるシート本体の位置に、折り曲げ可能なスリット部を形成することを特徴とする襟の形状保持具。
【請求項２】
スリット部が、複数の溝で形成されていることを特徴とする請求項１記載の襟の形状保持具。
【請求項３】
スリット部が、扇状に形成してなることを特徴とする請求項１記載の襟の形状保持具。
【請求項４】
略Ｖ字型に形成したシート本体の中央に切り欠き部を設けるとともに、一側上部に係止片を形成し、他側上部に係止溝を設けてなることを特徴とする請求項１、２、３記載の襟の形状保持具。
【発明の詳細な説明】
【技術分野】
【０００１】  本発明は、台襟に折返し襟が取り付けられたシャツやブラウス等を陳列したり、流通する際に、襟の形状が崩れることを防止して外観を良好に保つことができる襟の形状保持具に関するものである。
【背景技術】
【０００２】  従来の技術としては、台襟と折返し襟の間に挿し込んで、折返し襟の形状を保持するシート状のものがあり、台襟に折返襟が取り付けられたシャツの該折返襟と台襟の間に入れて台襟及び折返襟の形状を保持するシート体からなる保形体本体を具備する襟保形体において、前記保形体本体の左右両片が中央部から端部に向かって所定の角度で上がり傾斜に設けられ、且つ保形体本体の中央部に台襟のボタンの取付部に下方から係合可能な切り欠きが形成され、該切り欠きの下部には台襟の付け根部に当接する支持部が形成されていることを特徴とする襟保形体が開示されている。（例えば、特許文献１参照）【０００３】
【特許文献１】      特許第３３９３７７１号公報（請求項１、図１）
【発明の開示】
【発明が解決しようとする課題】
【０００４】  上記の従来の襟保形体は台襟と折返し襟の間に挿し込んで輪状に組み立てるので、シャツやブラウス等の奥襟の部分が９０°立った状態になってしまい、シャツやブラウス等のデザインや生地の柔軟性に関わらず同じ形での保持しかできないものである。つまり、奥襟を寝かせて保持できない。
【課題を解決するための手段】
【０００５】  本発明の襟の形状保持具は、台襟と折返し襟の間に挿し込み、輪状に組み立てた時、シャツやブラウス等の両肩に位置する襟の形状保持具の部分に、複数のスリット部を形成することで、シャツやブラウス等の奥襟を寝かせて保持したい時は、形状保持具を挿し込んだ後に、圧力を加えることでスリット部分が折れ曲がり、奥襟は、寝た状態で保持される、また、加える力を加減することで、奥襟を３０°、４５°とシャツやブラウスにあった自由な角度で保持することができる。【０００６】  前記のスリット部を扇状をなす複数の溝で形成することで、このスリット部で折り曲げた時、襟の形に合った角度で形状を保持することができる。【０００７】  前記の襟の形状保持具は、略Ｖ字型を形成するシートとし、中央に切り欠き部を設けるとともに、一側上部に係止片を他側上部に係止溝を設けることにより、シャツやブラウス等の台襟と折返し襟の間に挿し込んで、係止片を係止溝にとめて輪状に組み立てた時、襟の形状に合うようにする。また、中央にある切り欠き部で、台襟に取り付けてあるボタンをはさみ、ずれないようにする。
【発明の効果】
【０００８】  本発明の効果として、台襟と折返し襟の間に挿し込んだ時、シャツやブラウス等の両肩の位置にあたる部分に、スリット部が形成されているので、シャツやブラウスの形状や生地の柔軟性にあわせて、形状保持具を押しつぶす圧力を加減することで、奥襟を自由な角度で保持することができ、シャツやブラウス等の襟にあった形状を形成することができるため、美的であり、店内に陳列する場合も見栄えがよく、形くずれしない効果を有する。
【発明を実施するための最良の形態】
【０００９】  本発明の襟の形状保持具１は、図１のような略Ｖ字型のシート本体２の中央にボタン等をとめるための切り欠き部２ａを設けるとともに、一側片上部に係止片２ｂを他側上部に複数の係止溝２ｃ−−−を設けてあり、係止片２ｂ及び、係止溝２ｃ−−−の下部（組み立てた時、シャツ等の両肩の部分）に、複数の溝２ｄ１による扇状のスリット部２ｄを形成している。
襟の形状保持具１は、図２のように、台襟ＤＥと折返し襟ＯＥの間に挿し込んで、襟Ｅの形状を保持するものである【００１０】  前記の襟の形状保持具１は、図３のように、所要の係止溝２ｃに係止片２ｂを挿し込んで係止させ輪状に組み立てて使用するものであり、この時、奥襟ＯＥ１の部分は、９０°立った状態となる。襟の形状保持具１の扇状のスリット部２ｄを押しつぶすように圧力を加えることによって、図４のように、奥襟ＯＥ１の部分が４５°くらい倒れた状態で保持されたり、図５のように、奥襟ＯＥ１の部分が、完全に寝た状態で保持されることになる。
つまり、溝２ｄ１−−−が折り曲げられ、使用状態に合わせて角度を自由に設定できるものである。
【産業上の利用可能性】
【００１１】  本発明の襟の形状保持具１は、同一の型で成形できるものであるが、組み立てた形状に差をつけることができ、シャツやブラウス等の襟の形状や生地の柔軟性によって、最適の襟の形状に保持できるという点で、産業上の利用可能性が大である。
また、シート本体２は、透明なフィルムであり、自在に成形できるものである。
【図面の簡単な説明】
【００１２】
【図１】      本発明の襟の形状保持具の展開図である。
【図２】      本発明の襟の形状保持具の使用例をあらわす外観図である。
【図３】      本発明の襟の形状保持具の使用例をあらわす外観図である
【図４】      本発明の襟の形状保持具の使用例をあらわす外観図である
【図５】      本発明の襟の形状保持具の使用例をあらわす外観図である
【符号の説明】
【００１３】１    襟の形状保持具
２    シート本体
２ｄ  スリット部
【図１】
2005239281.tif 000003
【図２】
2005239281.tif 000004
【図３】
2005239281.tif 000005
【図４】
2005239281.tif 000006
【図５】
2005239281.tif 000007
(57)【要約】      （修正有）【課題】  食品を冷凍する際に食品と食品が互いに固着するのを防止し、その結果必要な分だけの食品を凍ったままの状態で全体から容易に分離できる器具を提供する。【解決手段】  表面が平らな又は凹凸がある事を特徴とする食品と食品の間に挟む耐冷のポリプロピレン等の合成樹脂により形成されたシート。【選択図】図１
2005239282.tif 000002
【特許請求の範囲】
【請求項１】
耐冷のポリプロピレン等の合成樹脂により形成され、食品を冷凍する際に食品と食品が互いに固着するのを防止し、固着したとしても分離が容易であるため、冷凍された食品を凍ったまま少量ずつ取り出す事ができる表面が平らな又は極浅い凹凸があり、保存用品の大きさにあらかじめ裁断された又は自己において自由に裁断でき、外周の一部を内に削ってある事を特徴とする食品と食品の間に挟むシート。
【発明の詳細な説明】
【技術分野】
【０００１】  本発明は食品を冷凍する際に食品と食品の固着を防止するために使用されるシートに関する。
【背景技術】
【０００２】  従来、冷蔵庫において食品を冷凍すると食品は互いに固着してしまい、凍ったまま分離して必要な分だけを取り出すためには全部を解凍するか、凍ったままの状態で冷凍食品切断用の特殊な包丁を用いて切り離すか、全部を少し解凍し分離可能な程度に柔らかくなったところで必要分だけ取り、残りは再び冷凍するなどしていた。【０００３】  冷凍する前にあらかじめ小分けにするには容器、袋、ラップ等の保存用品を多数用意し使用していた。【０００４】  特に小さな食品、細かい食品、薄い食品は、冷凍前にあらかじめ小分けにして冷凍するための適当な冷凍方法、保存用品がなく、ラップに包んで冷凍した後容器に移したり、冷凍できずその結果食品にカビが発生したり、腐敗し最後まで使いきる事ができない等していた。
【発明の開示】
【発明が解決しようとする課題】
【０００５】  冷凍された食品全部を解凍すると余分が発生する。少し解凍した後不必要な分を再び冷凍することは食品の品質を損なう。冷凍食品切断用の包丁を用いても凍ったたままの状態で切り離すのにはかなりの労力を必要とする。【０００６】  食材の中には細かく切ったり、小さく切ったり、薄くスライスした状態で冷凍し、凍ったまま少量ずつ取り出すことができれば保存可能な物がある。しかしこのような食材は特に互いに固着しやすく凍ったままの状態で分離するのは容易ではない。【０００７】  食品を冷凍する前にあらかじめ小分けにして冷凍するためには容器、袋、ラップ等の保存用品が多数必要である。
【課題を解決するための手段】
【０００８】  耐冷のポリプロピレン等の合成樹脂により形成され、食品を冷凍する際に食品と食品が互いに固着するのを防止し、固着したとしても分離が容易であるため、冷凍された食品を凍ったまま少量ずつ取り出す事ができる表面が平らな又は極浅い凹凸があり、保存用品の大きさにあらかじめ裁断された又は自己において自由に裁断でき、外周の一部を内に削ってある事を特徴とする食品と食品の間に挟むシート。
【発明の効果】
【０００９】  食品と食品が冷凍によって互いに固着せず、使用に必要な量だけ取り出せる。【００１０】  細かく刻まれた食品を薄く広げて冷凍できることにより板状に固着するため、凍ったまま容易に分離する事ができる。【００１１】  一つの保存用品内に食品を重ねて冷凍する事ができるため、小分けにするための保存用品を多数必要としない。【００１２】  洗って繰り返し使用できる。
【発明を実施するための最良の形態】
【００１３】  表面に円形、線状等の極浅い凹凸を施した耐冷のポリプロピレン等の合成樹脂により形成された厚さ０．５〜０．７ｍｍ程度の薄いシートである（図１、図２、図３）。これを容器、袋、ラップ等の保存容品内に並べた食品の上に載せ、シートの上に２段目の食品を並べる。以降これを必要まで繰り返し、その後に冷凍庫にて冷凍する。取り出す際には食品に軽く力を加えシートより剥がす。
【実施例１】
【００１４】  図１はあらかじめ保存容品の大きさに合わせて裁断され、表面に円形の凹凸を施した例である。シートを容器より取り出す際に指をかけられるように四隅のうちの一カ所の角は内に削る。
【実施例２】
【００１５】  図３は自己において自由に裁断できるようにした大きなサイズのシートであり、表面に線状の凹凸が施してある。線状の凹凸は裁断の際の目安としても利用できる。
【実施例３】
【００１６】  図４は保存容器を用いた場合の実施例である。
【産業上の利用可能性】
【図面の簡単な説明】
【図１】実施例１の平面図である。
【図２】実施例１の断面図である。
【図３】実施例２の平面図である。
【図４】実施例３の斜視図である。
【図１】
2005239282.tif 000003
【図２】
2005239282.tif 000004
【図３】
2005239282.tif 000005
【図４】
2005239282.tif 000006
(57)【要約】【課題】玉巻品を入れる容器本体と紐を外に取出し、かつ使用後の露出した部分の紐を収納するための巻取り装置からなる容器を提供する。【解決手段】中心の開口部から順次引出せるように巻回してなる無芯の玉巻品（１０）を収納し、紐（６）が通過する孔Ａ（２）を持つ容器本体（１）と、紐（６）が通過する孔Ｂ（５）を持ち使用後に容器本体（１）の孔Ａ（２）から過剰に露出している部分の紐を巻取り部（４）を持つ容器蓋（３）からなる玉巻品の収納容器。【選択図】図１
2005239278.tif 000002
【特許請求の範囲】
【請求項１】
中心の開口部から順次引出せるように巻回してなる無芯の玉巻品を収納し、紐が通過する孔Ａを持つ容器本体と、紐が通過する孔Ｂを持ち使用後に容器本体の孔Ａから過剰に露出している部分の紐を巻取り部分を持つ容器蓋からなる玉巻品の収納容器。
【発明の詳細な説明】
【技術分野】
【０００１】  本発明は、玉巻品を入れる容器本体と紐を外に取出し、かつ使用後に過剰に露出した部分の紐を収納するための巻取り部からなる容器に関するものである。
【背景技術】
【０００２】  玉巻品を収納し、容器に設けた孔から取出すという考え方はすでに知られている。
例えば、公開実用新案昭５６−１０９９３４号公報においては、上部に小孔を設けたほぼ正六面体の容器に玉巻品を収納し、小孔から紐を取出すものである。
公開実用新案平１−１１８９６５号公報においては、筒型身部材とこの部材と着脱可能な蓋部材からなり、蓋部材の中心に小孔を設け、その小孔から紐を取出すものである。
実開平６−１２７７号においては、下部に小孔を、上部に吊し紐を設けた容器に玉巻品を収納し小孔から紐を取出し容器本体を天井から吊るすものである。
特開２００２−２４９１８０においては、繊維素材からなり側面にスリットを設けた容器に玉巻品を収納し、そのスリット部分から紐を取出し、さらに容器上部に吊下げ紐で容器本体を壁から吊るすものである。
【発明の開示】
【発明が解決しようとする課題】
【０００３】  荷造りなどに使われるビニールや紙製の梱包紐、あるいは毛糸玉は、中心の開口部から順次引出せるように巻回してなる無芯の玉巻状の物が多い。これら玉巻品は、使用の際に必要以上に紐を取出してしまい、使用後には紐の一部は開口部から露出した状態となる。
従来の技術では使用後に、容器の取出口から切断部までの過剰に露出している部分の紐は行き場がなくなり、紐は露出した状態にしておくか、容器の取出口の位置で切捨てなければならなかった。
本発明は、以上の課題を解決するためになされたものである。
【課題を解決するための手段】
【０００４】  中心の開口部から順次引出せるように巻回してなる無芯の玉巻品（１０）を収納し、紐（６）が通過する孔Ａ（２）を持つ容器本体（１）と、紐（６）が通過する孔Ｂ（５）を持ち使用後に容器本体（１）の孔Ａ（２）から過剰に露出している部分の紐を巻取り部（４）を持つ容器蓋（３）からなる玉巻品の収納容器。
【発明の効果】
【０００５】  以上のような構成からなる本発明品は使用後、適当な位置で紐を切断しても、容器本体の孔Ａから過剰に露出した部分の紐を容易に巻取り部に収納することができるため便利であり、最後まで玉巻の形態が崩れることがない。
【発明を実施するための最良の形態】
【０００６】  以下、本発明の実施の形態について説明する。
（１）は、玉巻品を収容する容器本体であり、紐が通過する孔Ａ（２）がある。
（３）は、容器蓋であり、使用後に容器本体の孔Ａ（２）から過剰に露出している部分の紐を収納するための巻取り部（４）があり、この巻取り部（４）には紐が通過する孔Ｂ（５）がある。
容器蓋（３）は、着脱可能で、容易に回転させることができる。
本発明は以上のような構成で、これを使用するときは、容器（１）に玉巻品を収納し、紐の先端を容器蓋（３）の孔Ｂ（５）に通し、さらに容器（１）に設けた孔Ａ（２）に通した後に、容器蓋（３）をかぶせる。
この結果、玉巻品の紐は、孔Ａ（２）から容易に取出すことができる。
次に過剰に露出した紐の部分は、容器蓋（３）を回転すると、容器蓋の巻取り部（４）の外周に容易に巻き付き、再収納することができる。
この時露出した部分の紐のみが巻取り部（４）の外周に巻かれ、玉巻品から新たに紐が取出されることはない。
再度紐を取出す時には、巻取り部（４）の外周に巻かれていた紐（６）が絡むことなく取出される。
【実施例】
【０００７】  径５ｍｍの孔Ａを持つ高さ１２０ｍｍ、直径１２５ｍｍの容器本体と、径５ｍｍの孔Ｂを持ち高さ１５ｍｍ、径１１０ｍｍの巻取り部を持つ径１３５ｍｍの容器蓋を作成した。
これに高さ５０ｍｍ、直径１１５ｍｍの市販のビニールおよび紙製紐の梱包用玉巻品、高さ１００ｍｍ、直径１００ｍｍの市販の毛糸玉を購入して実施した。
【図面の簡単な説明】
【０００８】
【図１】本発明の斜視図
【図２】本発明の蓋付近の内部構造を示す拡大断面図
【符号の説明】
【０００９】      １  容器本体
２  孔Ａ
３  容器蓋
４  巻取り部
５  孔Ｂ
６  紐
１０  玉巻品
【図１】
2005239278.tif 000003
【図２】
2005239278.tif 000004
(57)【要約】【目的】滑りやすい化学繊維紐を緊張させたまま簡単な動作で結合すること及び結合した紐を簡単に開放することを目的とする。【構成】弾性変形する一対の起伏板の噛み合い面に研磨材を接着または研磨紙（布）を接着し、開閉可能な上の箱と下の箱内にそれぞれの起伏板の一端を固定して収容する。起伏板の噛み合い面に２本の紐を噛ませて箱を閉じると紐に研磨材が食い込んで滑らないから紐と紐が結合される。【選択図】  図１
2005239279.tif 000002
【特許請求の範囲】
【請求項１】
噛み合い面に研磨材を露出した一対の起伏板を、所定の状態として、開閉可能な箱内に収容して成る紐留具。
【発明の詳細な説明】
【発明の詳細な説明】
【産業上の利用分野】
【０００１】この発明は、紐と紐を結合する紐留具に係わるものである。
【背景技術】
【０００２】手作業による紐と紐の結合は紐同志を結ぶことによって行われている。
【発明が解決しようとする課題】
【０００３】手作業の紐結びにおいては紐の張力を保持したまま紐を結ぶ作業が難しく、化学繊維からなる紐の場合は滑り易いから紐結び作業が一層難しくなる。そして一重のこま結び目は紐に強い張力が加わると紐が結び目を移動して緩み解けるという問題がある。さらに強く結ばれた化学繊維紐の結び目は小さくなり解くことが困難という問題がある。
【課題を解決するための手段】
【０００４】噛み合い面に研磨材を接着または研磨紙（布）を接着し、噛み合って弾性変形する一対の起伏板を、開閉可能な箱内に収容したものである。
【作用】
【０００５】噛み合い面に研磨材を露出させた一対の起伏板に紐を挟んで噛み合わせると硬い物質で外面に鋭いかどをもつ多数の研磨材の粉末が柔らかい紐に食い込むから紐は滑らず固定される。従って２本の紐を起伏板に挟み噛ませることによって紐と紐は結合される。噛み合った起伏板は紐の太さに合わせて弾性変形する。
【実施例】
【０００６】実施例として波形の起伏板を採用した紐留具を説明すれば、第１図に示すごとく上の箱１と下の箱２は蝶番（薄い樹脂膜や他の蝶番機能を採用）により開閉し両端に開口部７を設けている。上の箱１と下の箱２の内寸は一対の波形起伏板５の全長より長くし、箱を閉じた時上の箱１の天上部から下の箱２の底部までの寸法は一対の噛み合った波形起伏板５の厚さより少なくする。一対の波形板５の一端（第１図では左側）を上の箱１の天上部及び下の箱２の底部にそれぞれ接着固定して噛み合わせ、他端は自由とする。一対の波形起伏板５の噛み合い面に研磨材６を接着するかまたは研磨紙や研磨布を接着する。【０００７】このように構成すると、開いた下の箱２の一端の開口部７と波形起伏板５ａの上面と他端の開口部７にかけて２本の紐を互い違いに捩り合わせて置くと紐の両端がそれぞれの開口部７から伸びる。紐の両端に力を加えて紐を緊張したまま、余った指で上の箱１を閉じて強く押さえると一対の波形起伏板５が紐を噛んで弾性変形して全長が伸び、上の箱１の段３が下の箱２のフック４にかかってロックされ指を離しても箱は開かない。すると挟まれた紐に研磨材６が食い込み紐は滑ることなく緊張を保持したまま固定されて結合される。結合した紐を解く時には段３にかけたフック４を指又は爪等で外せば上の箱１と下の箱２のロックが簡単に解除されて開くから波形起伏板５の噛み合いが外れて紐が開放される。【０００８】箱内に収容された一対の波形起伏板５は紐の太さに合わせて弾性変形するから細い紐から太い紐に適応できる。【０００９】起伏板の他の実施例として第２図に一対の三角形起伏板８の側面図を示し、第３図に梯形起伏板９の側面図を示した。これらの実施例に示した起伏板は起伏にかど部を設け、かど部で紐により強く研磨材を食い込ませて固定する。【００１０】この紐留具の応用例としていずれかの箱に吊り具を設けることによって長く張られた紐の定位置に固定して物を吊るすことができる。また箱同志を十字状に連結できる構成とすれば紐を網状に形成することができる。
【発明の効果】
【００１１】以上のごとく、この発明の紐留具は多用されている滑りやすい化学繊維からなる紐を結ぶ手作業に替えて指の動作により簡単に紐と紐を緊張したまま結合し物を縛ることができる。そして結合した紐は閉じた紐留具の開閉ロックを指先で解除することによって簡単に解くことができる。さらに紐の定位置に物を吊るしたり紐を網状に形成することも容易である。
【図面の簡単な説明】
【図１】紐留具の実施例の斜視図
【図２】三角形起伏板の実施例の側面図
【図３】梯形起伏板の実施例の側面図
【符号の説明】
１  上の箱
２  下の箱
３  段
４  フック
５．５ａ．５ｂ．波形起伏板
６  研磨材
７  開口部
８．８ａ．８ｂ．三角形起伏板
９．９ａ．９ｂ．梯形起伏板
【図１】
2005239279.tif 000003
【図２】
2005239279.tif 000004
【図３】
2005239279.tif 000005
(57)【要約】【課題】片手で操作するとともにその手でもって内容物を受けることができる吐出器用のアタッチメントを提案する。【解決手段】ノズル付き押圧ヘッド（１ｂ）を有する吐出器に装着されるアタッチメントにおいて、前記アタッチメントを、押圧ヘッド（１ｂ）にノズルを残して覆い被さるカバー体（２ａ）と、ノズルの両側位置でカバー体（２ａ）に揺動可能に保持されその押し下げ動作に同期して押圧ヘッド（１ｂ）を駆動する一対のレバー（２ｂ、２ｃ）とにて構成する。【選択図】図１
2005239250.tif 000002
【特許請求の範囲】
【請求項１】
ノズル付き押圧ヘッドを有する吐出器に装着されるアタッチメントであって、
前記アタッチメントは、押圧ヘッドにノズルを残して覆い被さるカバー体と、ノズルの両側位置でカバー体に揺動可能に保持されその押し下げ動作に同期させて押圧ヘッドを駆動する一対のレバーを有することを特徴とする吐出器用アタッチメント。
【発明の詳細な説明】
【技術分野】
【０００１】
本発明は、ノズル付き押圧ヘッドを有する吐出器に適用して好適なアタッチメントに関するものであり、片手でもって内容物の注出操作を行うと同時に操作に供している手でもって注出された内容物を確実に受けようとするものである。
【背景技術】
【０００２】
シャンプーやリンス、洗顔石鹸、乳液等を充填する容器としては近年、据え置きを前提としたタイプの容器が多用されるようになってきており、内容物を注出するに当たっては、シリンダーとピストンとを備えたポンプ機構を組み込んで内容物の適量吐出を可能とした吐出器が使用されている。
【０００３】
ところで、従来のこの種の吐出器は、一方の手で吐出器を操作（押圧ヘッドを押す）し、もう一方の手で吐出にかかる内容物を受けるのが普通であり、この場合、これに平行して他の作業を行うことができず（例えば、片手でシャワーのノズルを持ち、もう片方の手でシャンプーを注出する場合等）、使い勝手がよいとはいえないのが現状であった。
【０００４】
この点については、容器本体上部を持つことなしにポンプが有する容器体口部外面への嵌合用装着筒を持ってポンプ操作を行えるようにしたポンプ付きの容器が知られている（例えば特許文献１参照）。
【０００５】
【特許文献１】特開２００３−１６５５９１号公報
【発明の開示】
【発明が解決しようとする課題】
【０００６】
本発明の課題は、片手で操作しその手でもって吐出にかかる内容物を受けることができる新規な吐出器用のアタッチメントを提案するところにある。
【課題を解決するための手段】
【０００７】
本発明は、ノズル付き押圧ヘッドに装着されるアタッチメントであって、
前記アタッチメントは、押圧ヘッドにノズルを残して覆い被さるカバー体と、ノズルの両側位置でカバー体に揺動可能に保持されその押し下げ動作に同期させて押圧ヘッドを駆動する一対のレバーを有することを特徴とする吐出器用アタッチメントである。
【発明の効果】
【０００８】
吐出器の注出動作を行いながらその動作に供している手でもって内容物を受けとることができる。また、アタッチメントを手の支えにできるので押圧ヘッドが押し易い。
【発明を実施するための最良の形態】
【０００９】
以下、図面を用いて本発明をより具体的に説明する。
図１は本発明にしたがうアタッチメントの実施の形態を示したものである。
図における１は容器内の内容物を適量注出することができる吐出器であり、この吐出器１は容器の口部でねじ止めすることができるベースキャップ１ａとポンプ機構を備え該ベースキャップ１ａによって支えられるノズル付き押圧ヘッド１ｂからなり、押圧ヘッド１ｂを繰返し押圧することでノズルｎの先端より内容物を注出することができるようになっている。
【００１０】
また、２はアタッチメントである。このアタッチメント２は押圧ヘッド１ｂにノズルを残して覆い被さるカバー体２ａと、ノズルの両側位置でカバー体２ａに枢支軸ｓを介して揺動可能に保持される一対のレバー２ｂ、２ｃからなる。
【００１１】
仮想線にて図示した如く、手のひらを上にして押圧ヘッドを指で挟み込むようにして各レバーの上に手を置き、その状態でレバー２ｂ、２ｃを押し下げるとこの動作に同期して押圧ヘッド１ｂが駆動され（押し下げられる）ノズルｎの先端から内容物が注出される。この時、手のひらはノズルの先端直下に位置することから注出にかかる内容物は手のひらで受けられる。
【００１２】
アタッチメント２のレバー２ｂ、２ｃはそれぞれ水平状態に保持して使用するものであるが、図において仮想線にて示したように、枢支軸ｓを支点にして揺動させカバー体２ａに密着させるべく起立させることで収納することが可能で、これにより容器の保管状態で誤って内容物を注出してしまうことがない。
【００１３】
レバー２ｂ、２ｃを収納した状態であってもカバー体２ａを押圧することは可能であり、これを防止するために図示はしないがストッパーを設けてもよい。
【産業上の利用可能性】
【００１４】
両手を同時に動かすことなしに内容物の適量注出が可能な使い勝手のよい吐出器用のアタッチメントが提供できる。
【図面の簡単な説明】
【００１５】
【図１】本発明にしたがうアタッチメントの実施の形態を示した図である。
【符号の説明】
【００１６】
１  吐出器
１ａ  ベースキャップ
１ｂ  押圧ヘッド
２  アタッチメント
２ａ  カバー体
２ｂ  レバー
２ｃ  レバー
【図１】
2005239250.tif 000003
(57)【要約】【課題】押圧ヘッドが押し易く、また、持ち易い吐出器用のアタッチメントを提案する。【解決手段】ノズル付き押圧ヘッド（１ｂ）を有する吐出器（１）のベースキャップ（１ａ）に装着されるアタッチメントにおいて、前記アタッチメントを、前記ベースキャップ（１ａ）を取り囲んでそのベースキャップ（１ａ）に着脱自在に固定保持される２つ割の側壁（２ａ、２ｂ）と、各側壁（２ａ、２ｂ）の対向位置にて該側壁に一体連結した舌片（２ｃ、２ｄ）とにて構成する。【選択図】図１
2005239244.tif 000002
【特許請求の範囲】
【請求項１】
ノズル付き押圧ヘッドを有する吐出器のベースキャップに装着されるアタッチメントであって、
前記アタッチメントは、前記ベースキャップを取り囲んでそのベースキャップに着脱自在に固定保持される２つ割の側壁と、各側壁の対向位置にて該側壁に一体連結する舌片からなることを特徴とする吐出器用アタッチメント。
【請求項２】
前記側壁は、それぞれの一端をつなぎ、そこを基点にして各側壁を開閉可能に連結する蝶番と、側壁のもう一端を相互に当接させて各側壁同士を連結する係合手段とを有する請求項１記載の吐出器用アタッチメント。
【請求項３】
前記側壁はその内側に、ベースキャップに係合する抜け止めリブを有する請求項１又は２記載の吐出器用アタッチメント。
【発明の詳細な説明】
【技術分野】
【０００１】
本発明は、ノズル付き押圧ヘッドを有する既存の吐出器に適用して好適なアタッチメントに関するものであり、内容物の注出操作を行う際のヘッドの押し易くするとともに容器の持ち易さの改善を図ろうとするものである。
【背景技術】
【０００２】
シャンプーやリンス、洗顔石鹸、乳液等を充填する容器としては近年、据え置きを前提とした大型の容器が多用されるようになってきており、内容物を注出するに当たっては、シリンダーとピストンとを備えたポンプ機構を組み込んで内容物の適量吐出を可能とした吐出器が使用されている。
【０００３】
ところで、従来のこの種の吐出器は、一方の手で吐出器を操作し、もう一方の手で吐出にかかる内容物を受けるのが普通であり、容器が風呂場や洗面所等滑り易い場所に置かれている場合に容器の設置姿勢が不安定となって押圧ヘッドが押しにくかったり持ちにくいことがあり、使い勝手がよいとはいえないのが現状であった。
【０００４】
この点については、容器本体上部を持つことなしにポンプが有する容器体口部外面への嵌合用装着筒を持ってポンプ操作を行えるようにしたポンプ付きの容器が知られている（例えば特許文献１参照）。
【０００５】
【特許文献１】特開２００３−１６５５９１号公報
【発明の開示】
【発明が解決しようとする課題】
【０００６】
本発明の課題は、ノズル付き押圧ヘッドを有する吐出器について、押し易さ、持ち易さの改善を図った新規な吐出器用のアタッチメントを提案するところにある。
【課題を解決するための手段】
【０００７】
本発明は、ノズル付き押圧ヘッドを有する吐出器のベースキャップに装着されるアタッチメントであって、
前記アタッチメントは、前記ベースキャップを取り囲んでそのベースキャップに着脱自在に固定保持される２つ割の側壁と、各側壁の対向位置にて該側壁に一体連結する舌片からなることを特徴とする吐出器用アタッチメントである。
【０００８】
上記の構成になるアタッチメントにおいて、前記側壁は、それぞれの一端をつなぎ、そこを基点にして各側壁を開閉可能に連結する蝶番と、側壁のもう一端を相互に当接させて各側壁同士を連結する係合手段とを設けるのが好ましい。
【０００９】
また、前記側壁はその内側に、ベースキャップに係合する抜け止めリブを設けることができる。
【発明の効果】
【００１０】
舌片に指を掛けて容器をしっかりと固定することが可能で押圧ヘッドが押し易いうえ、持ち易くなる。
【発明を実施するための最良の形態】
【００１１】
以下、図面を用いて本発明をより具体的に説明する。
図１は本発明にしたがうアタッチメントを既存の吐出器に装着した実施の形態を示したものである。
図における１は容器内の内容物を適量注出することができる吐出器である。        
【００１２】
この吐出器１は容器の口部でねじ止めすることができるベースキャップ１ａとポンプ機構を備え該ベースキャップ１ａによって支えられるノズル付き押圧ヘッド１ｂからなり、押圧ヘッド１ｂを繰返し押圧することでノズルの先端より内容物を注出することができるようになっている。
【００１３】
また、２はアタッチメントである。このアタッチメント２はベースキャップ１ａを取り囲んで着脱自在に固定保持される２つ割の側壁２ａ、２ｂと、各側壁２ａ、２ｂの対向位置にて水平に一体連結し押圧ヘッド１ｂの操作に際して指をあてがうことができる一対の舌片２ｃ、２ｄからなる。
【００１４】
また、３は側壁２ａ、２ｂのそれぞれの一端をつないでそこを基点にして各側壁２ａ、２ｂを開閉可能に連結する蝶番、４は蝶番３の対向位置に存在するもう一端を相互に当接させて側壁２ａ、２ｂ同士を連結する係合手段である。
【００１５】
図２、図３にアタッチメント２のみを取り出して単体で示し、図４に吐出器の外観を示す。
【００１６】
押圧ヘッド１ｂを操作するに際して図５あるいは図６に示すように舌片２ｃ、２ｄに指をあてがうと容器の姿勢が安定して押圧ヘッド１ｂが押し易くなる。
【００１７】
上掲図３における番号５ａ、５ｂはアタッチメント２の側壁２ａ、２ｂの内側に一体的にそれぞれ設けられた抜け止めリブであり、この抜け止めリブ５ａ、５ｂはアタッチメント２を吐出器１に取り付けた時、ベースキャップ１ａの上端面、下端面のそれぞれに位置する。
【００１８】
舌片２ｃ、２ｄについて本発明の実施の形態では、側壁２ａ、２ｂが合わさったとき全体の平面形状が楕円状になるものを示したが、これは円形（真円）になるものを設けてもよいし、矩形状のものを設けることも可能で形状に関してはとくに限定されない。また、舌片２ｃ、２ｄは側壁２ａ、２ｂに直交する向きで水平に一体連結したものを例示したが、舌片２ｃ、２ｄの連結角度は任意に変更し得る。
【産業上の利用可能性】
【００１９】
大型の容器に装着された既存の吐出器に簡単に取り付け可能で、持ち易くて押し易い勝手のよいアタッチメントが提供できる。
【図面の簡単な説明】
【００２０】
【図１】本発明にしたがうアタッチメントの実施の形態を示した図である。
【図２】アタットメントのみを示した図である。
【図３】アタッチメントのみを示した図である。
【図４】吐出器の外観斜視図である。
【図５】本発明にしたがうアタッチメントの使用状況を示した図である。
【図６】本発明にしたがうアタッチメントの使用状況を示した図である。
【符号の説明】
【００２１】
１  吐出器
１ａ  ベースキャップ
１ｂ  押圧ヘッド
２  アタッチメント
２ａ  側壁
２ｂ  側壁
２ｃ  舌片
２ｄ  舌片
３  蝶番
４  係合手段
５ａ  抜け止めリブ
５ｂ  抜け止めリブ
【図１】
2005239244.tif 000003
【図２】
2005239244.tif 000004
【図３】
2005239244.tif 000005
【図４】
2005239244.tif 000006
【図５】
2005239244.tif 000007
【図６】
2005239244.tif 000008
(57)【要約】【課題】液状物の噴出させる際の姿勢が比較的自由にできる使い勝手のよい噴射器を提案する。【解決手段】容器の口部に保持されその内部空間を密閉する基体（１）と、この基体（１）に着脱自在に保持され容器内の液状物を噴射させる噴射ヘッド（２）とを備え、前記基体（１）に、外側に向けて開放された開口端（３ａ）を有しこの開口端（３ａ）を通して噴射ヘッド（２）を入れ込む凹部（３）を設け、  前記凹部（３）に、容器内の液状物を噴射ヘッド（２）に送給するとともに該噴射ヘッド（２）の動きに合わせて伸縮自在な送給管（４）を配置する。【選択図】図１
2005239232.tif 000002
【特許請求の範囲】
【請求項１】
容器の口部に保持されその内部空間を密閉する基体と、この基体に着脱自在に保持され容器内の液状物を噴射させる噴射ヘッドとを備え、
前記基体に、外側に向けて開放された開口端を有しこの開口端を通して噴射ヘッドを入れ込む凹部を設け、
前記凹部に、容器内の液状物を噴射ヘッドに送給するとともに該噴射ヘッドの動きに合わせて伸縮自在な送給管を配置してなる、ことを特徴とする液状物の噴射器。
【請求項２】
前記送給管が、初期形状への復帰を可能とする樹脂製スプリングからなる請求項１記載の液状物の噴射器。
【請求項３】
前記基体は、該基体とともに容器を吊り下げるフックを有する請求項１又は２に記載の液状物の噴射器。
【請求項４】
前記噴射ヘッドは、開口端に当接して該噴射ヘッドの入れ込み量を規制する位置決めフランジを有する請求項１〜３の何れかに記載の液状物の噴射器。
【発明の詳細な説明】
【技術分野】
【０００１】
本発明は、液状物の噴射器に関するものであり、容器内の液状物を比較的自由な姿勢で噴射させようとするものである。
【背景技術】
【０００２】
シャンプーやリンス、洗顔石鹸、乳液等を充填する容器としては近年、据え置きを前提としたタイプの容器が多用されるようになってきており、内容物を注出するに当たっては、シリンダーとピストンとを備えたポンプ式の噴射器が使用されている。
【０００３】
ところで、従来のこの種の噴射器は、容器の口部に配置されたものが普通であり、例えば、シャワー室等において床面に置いてある容器からシャンプーやリンス等を取り出すには、一旦しゃがんで内容物の噴射操作を行う必要であり、使い勝手がよくないところに問題を残していた。
【発明の開示】
【発明が解決しようとする課題】
【０００４】
本発明の課題は、容器内の液状物を比較的自由な姿勢で噴射させることができる新規な噴射器を提案するところにある。
【課題を解決するための手段】
【０００５】
本発明は、容器の口部に保持されその内部空間を密閉する基体と、この基体に着脱自在に保持され容器内の液状物を噴射させる噴射ヘッドとを備え、
前記基体に、外側に向けて開放された開口端を有しこの開口端を通して噴射ヘッドを入れ込む凹部を設け、
前記凹部に、容器内の液状物を噴射ヘッドに送給するとともに該噴射ヘッドの動きに合わせて伸縮自在な送給管を配置してなる、ことを特徴とする液状物の噴射器である。
【０００６】
上記の構成になる噴射器において、送給管は、初期形状への復帰を可能とする樹脂製スプリングからなるものが好ましい。
【０００７】
また、基体には、該基体とともに容器を吊り下げるフックを設けることができ、前記噴射ヘッドには、開口端に当接して該噴射ヘッドの入れ込み量を規制する位置決めフランジを設けることができる。
【発明の効果】
【０００８】
噴射ヘッドを基体から取り外して送給管の伸延する範囲内で該噴射ヘッドを移動させることができるので使用者の姿勢が規制されることがなく、使い勝手がよい。
【０００９】
以下、図面を用いて本発明をより具体的に説明する。
図１は本発明にしたがう噴射器を容器の口部に装着した場合の実施の形態を示したものである。
【００１０】
図における１は容器の口部に保持（アンダーカットあるいはねじ止め等）されその内部空間を密閉する基体、２は基体１に着脱自在に保持される噴射ヘッドである。この噴射ヘッド２は図示はしないがその内部にポンプ機構を備えており、ヘッド２ａを押圧することで容器内の液状物を吸引、加圧してノズル２ｂの先端より噴射（スプレー）させることができるようになっている。
【００１１】
また、３は基体１に設けられた凹部である。この凹部３は外側（この例では上方）に向けて開放された開口端３ａを有していて、ここに噴射ヘッド２を入れ込む。
【００１２】
４は容器内の液状物を噴射ヘッド２に送給するとともに噴射ヘッド２の動きに合わせて伸縮自在で初期形状への復帰を可能とする樹脂製スプリングからなる送給管である。
【００１３】
この送給管４は一端が凹部３の底部で吸引管５につながっており、もう一端が噴射ヘッド２につながっている。
【００１４】
さらに６は基体１に一体的に形成され容器を吊り下げる際に使用するフック、そして７は噴射ヘッド２を凹部３に入れ込む時に該凹部３の開口端３ａに当接して入れ込み量を規制する位置決めフランジである。
【００１５】
本発明にしたがう噴射器は、図２にその使用状態を示したように噴射ヘッド２を引き出すことができるので、液状物を噴射させる際の姿勢が比較的自由であり使い勝手が著しく改善される。
【００１６】
送給管４としては初期形状に復帰して噴射ヘッド２を迅速、かつ簡単に収納するため樹脂製スプリングを用いる。樹脂としてはＰＰ（ポリプロピレン）が最適であるが、ＰＥ（ポリエチレン）等の軟質材でもよくこの点については特に限定されない。
【００１７】
本発明の実施の形態では、噴射ヘッド２としてその内部にポンプ機構を備えるものを例として説明したが、該噴射ヘッド２はトリガータイプの噴射器であってもよい。
【産業上の利用可能性】
【００１８】
容器内の液状物を比較的自由な姿勢で取り出すことが可能な噴射器を提供できる。
【図面の簡単な説明】
【００１９】
【図１】本発明にしたがう噴射器の実施の形態を示した図である。
【図２】図１に示した噴射器の使用状態を示した図である。
【符号の説明】
【００２０】
１  基体
２  噴射ヘッド
３  凹部
３ａ  開口端
４  送給管
５  吸引管
６  フック
７  フランジ
【図１】
2005239232.tif 000003
【図２】
2005239232.tif 000004
(57)【要約】【課題】今後、訪れるであろう家庭の生ごみ資源化時代に向け、生ごみを資源化する際に必要な二つの条件である、腐敗防止のための水切りと、異物混入を調べて取り除くための、保管用生ごみ容器よりも一段階前の生ごみ投入容器となる資源化用生ごみ水切り・異物混入調べ容器を提供する。【解決手段】障害者や高齢者にも配慮した美しいデザインにより常時台所に出して置いても嫌悪感を抱かせぬよう工夫をし、蓋（１）付きの外部容器（２）の内側に、取り外し可能なざる（３）を設け、外部容器側面と蓋に、取っ手（４）を設けたことを特徴とする。【選択図】図１
2005239419.tif 000002
【特許請求の範囲】
【請求項１】
蓋（１）付きの外部容器（２）の内側に、取り外し可能なざる（３）を設け、蓋と外部容器側面に、取っ手（４）を設けた資源化用生ごみ水切り・異物混入調べ容器。
【発明の詳細な説明】
【発明の詳細な説明】
【技術分野】
【０００１】  この発明は、家庭の生ごみを資源化する際に必要な二つの条件である、腐敗防止のための水切りと、異物の混入を調べて取り除くための、保管用生ごみ容器よりも一段階前の生ごみ投入容器となる資源化用生ごみ水切り・異物混入調べ容器に関するものである。
【背景技術】
【０００２】  従来、保管用生ごみ容器よりも一段階前の生ごみ投入容器として、多くの家庭において、流し隅の三角コーナーや排水口のストレーナー、広告紙を折った入れ物、通水性のある袋などが使用されてきた。
【発明が解決しようとする課題】
【０００３】  これは、次のような欠点があった。
従来、焼却されてきた家庭の生ごみは、今後、堆肥化やエネルギー化が進む事が考えられる。その際、使われる生ごみは、水気が少なく、その結果腐敗していないことと、生ごみ以外の異物が混入していないことが条件となるが、従来使用されてきた保管用生ごみ容器よりも一段階前の生ごみ投入容器では、生ごみを投入後、水気が切れるまでの間に、食器洗いの水がかかって再び水気を含んだり、虫が寄って来たり、悪臭がしたり、外見が悪かったりした。また、広告紙を折った入れ物や通水性のある袋などはそれ自体異物であるため、生ごみと分別しなければならない。さらに、それらの容器は、生ごみに異物が混入していないかどうか確認する場としての機能を十分兼ね備えていなかった。
本発明は、以上のような欠点をなくすためになされたものである。
【課題を解決するための手段】
【０００４】  蓋（１）付きの外部容器（２）の内側に、取り外し可能なざる（３）を設け、外部容器側面と蓋に、取っ手（４）を設ける。
本発明は、以上の構成よりなる資源化用生ごみ水切り・異物混入調べ容器である。
【発明を実施するための最良の形態】
【０００５】  以下、本発明の実施の形態について説明する。
洗いやすいよう、底に丸味をもたせた外部容器（２）には、虫が寄ってきたり、悪臭がしたりするのを防ぐ蓋（１）を設ける。その内側に、取り外し可能なざる（３）を設け、外部容器の底とざるとの間には、生ごみから出た汁が付着しないように十分な高さをとる。蓋中心と外部容器側面には、障害者や指の力の弱い高齢者でも持ち上げることができるよう、手をくぐらせる取っ手（４）を設ける。外見は常に台所に出して置いても嫌悪感を抱かせぬ美しい曲線デザインとし、材質は容易に劣化しないステンレスとする。
本発明は以上のような構造で、これを使用するときは、蓋を開け、生ごみをざるの中に投入し、生ごみの水気が十分切れたら、異物が混入していないかどうか確かめ、もしあれば取り除き、その後、別の生ごみ保管容器に生ごみを移し、生ごみ収集日まで保管する。
【発明の効果】
【０００６】  家庭から出る生ごみに、資源化する条件を与えることができる。循環型社会に貢献する。また、美しいユニバーサル・デザインによって、常に台所に出して置いても家族の誰もが嫌悪感を抱かず、生ごみの投入に協力できる。
【図面の簡単な説明】
【図１】本発明の断面図である。
【符号の説明】
１  蓋
２  外部容器
３  ざる
４  取っ手
【図１】
2005239419.tif 000003
(57)【要約】      （修正有）【課題】２０００ｍ／ｍｉｎ以上の高速冷間圧延を可能とするリサーキュレーション型水溶性冷間圧延油を提供する。【解決手段】８０ｃＳｔ以下の低粘度エステルをベース油とし、アルカリ土類金属のスルホネートと硫黄系極圧剤の複合添加を主成分とする水溶性冷間圧延油により、２０００ｍ／ｍｉｎ以上の高速冷間圧延に対応することが可能となる。【選択図】なし【特許請求の範囲】
【請求項１】
８０ｃＳｔ以下の低粘度エステルをベース油としてアルカリ土類金属のスルホネートと硫黄系極圧剤の複合添加を主成分とする水溶性冷間圧延油
【発明の詳細な説明】
【発明の詳細な説明】
本発明は、８０ｃＳｔ以下の低粘度エステルをベース油としてアルカリ土類金属のスルホネートと硫黄系極圧剤の複合添加を主成分とする水溶性冷間圧延油に関する。
従来、鋼板の冷間圧延を２０００ｍ／ｍｉｎ以上の高速圧延で行う場合、ダイレクト方式の圧延油が用いられており、リサーキュレーション型水溶性圧延油を使用することが出来なかった。一般に、鋼板の冷間圧延にはリサーキュレーション型水溶性圧延油が使用されており、省資源、リサイクルの環境対応からも２０００ｍ／ｍｉｎ以上の高速圧延においても使用できるリサーキュレーション型水溶性圧延油が必要になることが予想される。
本発明は、２０００ｍ／ｍｉｎ以上の高速圧延を可能とする低粘度エステルをベース油としてアルカリ土類金属のスルフォネートを硫黄系極圧剤の複合添加を主成分とするリサーキュレーション型水溶性冷間圧延油を提供することを目的としている。
上記目的を達成するために、本発明においては、以下の検証を行った。粘度７３ｃＳｔ（５０℃）の合成エステルをベース油としてＣａスルフォネートを２０％とＳ系活性極圧剤を５％添加した油に界面活性剤を５％加え、濃度５％のエマルションを用いてすべり圧延型潤滑評価試験機ですべり圧延を行った際の焼付き限界圧下率および粘度２８ｃＳｔ（５０℃）の低粘度エステルをベース油としてＣａスルフォネートを２０％とＳ系活性極圧剤を５％添加した油に界面活性剤を５％加え、濃度５％のエマルションを用いてすべり圧延潤滑性評価試験機ですべり圧延を行った際の焼付き限界圧下率並びに粘度７３ｃＳｔ（５０℃）の合成エステルと粘度２８ｃＳｔ（５０℃）の低融度エステルを５０：５０で混合したものをベース油としてＣａスルフォネートを２０％とＳ系活性極圧剤５％を添加した油に界面活性剤を５％加え、濃度５％のエマルションを用いてすべり圧延型潤滑性評価試験機ですべり圧延を行った際の焼付き限界圧下率を図１に示す。これまでの評価実験の結果から焼付き限界圧下率が１６％を越えると２０００ｍ／ｍｉｎの圧延速度での高速圧延が可能である結果が得られている。
粘度７３ｃＳｔの合成エステルのベース油および粘度７３ｃＳｔの合成エステルと粘度２８ｃＳｔの低融点エステルを５０：５０で混合したベース油においては２０％の圧下率におけるすべり圧延においても焼付きは発生しない結果が得られ、この種の圧延油を使用すると２０００ｍ／ｍｉｎ以上の高速圧延が可能となった。
以上の結果は、８０ｃＳｔ以下の低粘度エステルをベースとしてアルカリ土類金属のスルホネートと硫黄系極圧剤の複合添加を主成分とする水溶性冷間圧延油をリサーキュレーションのエマルションで使用して、２０００ｍ／ｍｉｎ以上の高速圧延が可能であることが確認され、高速圧延用のリサーキュレーション型水溶性冷間圧延油を提供できることを示している。
【図面の簡単な説明】
【図１】すべり圧延型潤滑性評価試験機による焼付き限界圧下率
【符号の説明】
Ａ：粘度７３ｃＳｔの合成エステルベース油
Ｂ：粘度２８ｃＳｔの低融点エステルベース油
Ｃ：粘度７３ｃＳｔの合成エステルと粘度２８ｃＳｔの低融点エステルを５０：５０に混合したベース油
【図１】
2005239990.tif 000002